(57)【要約】【課題】  部品の組付け作業性やメンテナンス性に優れた噴霧機を提供する。【解決手段】  液体タンク（２）の背面（２ａ）側には配管収容凹部（８）が形成され、配管収容凹部（８）内には、ポンプ（１０）やモータ（９）などの部品が組み込まれる。そして、配管収容凹部（８）は、液体タンク（２）の下端まで延長されているので、液体タンク（２）の下側から配管収容凹部（８）に工具を挿入することができ、モータ（９）やポンプ（１０）は言うに及ばず、配管などの部品の組み付け作業が容易になる。しかも、この噴霧機（１）は、メンテナンス性も要求されているので、配管収容凹部（８）内の部品の交換などを容易に行うことができる。さらに、前述した組付け作業性やメンテナンス性を良好にするため、この配管収容凹部（８）を覆うためのカバー（２０）は、液体タンク（２）に対して着脱自在になっている。【選択図】  図２
2005118674.tif 000002
【特許請求の範囲】
【請求項１】
液体を収容する液体タンク（２）と、前記液体を外部に排出するためのポンプ（１０）と、前記ポンプ（１０）を駆動させるモータ（９）とを備えた噴霧機（１）において、
前記液体タンク（２）の背面（２ａ）側で開放されて設けられると共に、前記液体タンク（２）の下端まで延長された配管収容凹部（８）と、
前記配管収容凹部（８）を覆うと共に、前記液体タンク（２）に対して着脱自在なカバー（２０）とを備えたことを特徴とする噴霧機。
【請求項２】
前記配管収容凹部（８）内には、前記液体タンク（２）に固定された前記ポンプ（１０）と、前記液体タンク（２）内の前記液体を前記ポンプ（１０）を介して外部に排出する配管系部品（１８）とが取付けられ、
前記カバー（２０）には、前記モータ（９）に電力を供給するバッテリ（２２）と、前記バッテリ（２２）に電気的に接続された切換スイッチ（２６）と、前記バッテリ（２２）からの電力を前記モータ（９）に供給する電気配線系部品（２８）とが取付けられていることを特徴とする請求項１記載の噴霧機。
【請求項３】
前記バッテリ（２２）は、前記カバー（２０）の下部に取り付けられていることを特徴とする請求項１又は２記載の噴霧機。
【請求項４】
前記配管収容凹部（８）内において、前記ポンプ（１０）を中央にして、前記配管系部品（１８）と前記電気配線系部品（２８）とが左右に振り分けられていることを特徴とする請求項２又は３記載の噴霧機。
【請求項５】
前記カバー（２０）には、前記配管系部品（１８）に対応する位置に視認窓（３３）が形成されていることを特徴とする請求項１〜４のいずれか一項記載の噴霧機。
【発明の詳細な説明】
【技術分野】
【０００１】
本発明は、ポンプ及びモータを備えた動力型であって、薬液などの液体の噴霧に利用される噴霧機に関するものである。
【背景技術】
【０００２】
従来、このような分野の技術として、実公平０７−８０４４号公報がある。この公報に記載された噴霧機は、背負い型であると共に、薬剤タンクの背面には凹所が設けられ、この凹所内にはバッテリ、モータ及びポンプなど様々な部品が組み込まれている。そして、この凹所の開口部分は背当てによって覆われている。さらに、薬剤タンクの横側方及び下方には、凹所に連通する２つの通気路が形成され、各通気路は、凹所内に設けられた冷却ファンの駆動によって、外気が凹所から出たり入ったりする際に利用され、凹所内に外気を導入し続けることで、モータの適切な冷却が達成される。
【０００３】
【特許文献１】実公平０７−８０４４号公報
【発明の開示】
【発明が解決しようとする課題】
【０００４】
しかしながら、前述した従来の噴霧機には、薬剤タンクの横側方及び下方で開放された２つの通気路が形成されているが、各通気路は、吸気や排気のために単に溝状をなしており、ポンプやバッテリなどの部品を収容するための空間として利用することができない。従って、薬液タンクの背面側で窪みのように形成された凹所では、底面と四側面とで囲まれた空間として形成されるので、バッテリ、モータ、ポンプ、配管及び電気配線などの部品を凹所内に組み付ける際に手や工具が凹所内に入りにくく、これら部品の組付け作業やメンテナンスが難しいといった問題点がある。
【０００５】
本発明は、特に、部品の組付け作業性やメンテナンス性に優れた噴霧機を提供することを目的とする。
【課題を解決するための手段】
【０００６】
本発明は、液体を収容する液体タンク（２）と、液体を外部に排出するためのポンプ（１０）と、ポンプ（１０）を駆動させるモータ（９）とを備えた噴霧機（１）において、液体タンク（２）の背面（２ａ）側で開放されて設けられると共に、液体タンク（２）の下端まで延長された配管収容凹部（８）と、配管収容凹部（８）を覆うと共に、液体タンク（２）に対して着脱自在なカバー（２０）とを備えたことを特徴とする。
【０００７】
この噴霧機（１）が具備する液体タンク（２）の背面（２ａ）側には配管収容凹部（８）が形成され、この配管収容凹部（８）内には、ポンプ（１０）やモータ（９）などの部品が組み込まれる。そして、この配管収容凹部（８）は、液体タンク（２）の下端まで延長されているので、液体タンク（２）の下側から配管収容凹部（８）に工具を挿入することができ、モータ（９）やポンプ（１０）は言うに及ばず、配管などの部品の組み付け作業が容易になる。しかも、この噴霧機（１）は、メンテナンス性も要求されているので、配管収容凹部（８）内の部品の交換などを容易に行うことができる。さらに、前述した組付け作業性やメンテナンス性を良好にするため、この配管収容凹部（８）を覆うためのカバー（２０）は、液体タンク（２）に対して着脱自在になっている。
【０００８】
また、配管収容凹部（８）内には、液体タンク（２）に固定されたポンプ（１０）と、液体タンク（２）内の液体をポンプ（１０）を介して外部に排出する配管系部品（１８）とが取付けられ、カバー（２０）には、モータ（９）に電力を供給するバッテリ（２２）と、バッテリ（２２）に電気的に接続された切換スイッチ（２６）と、バッテリ（２２）からの電力をモータ（９）に供給する電気配線系部品（２８）とが取付けられていると好適である。このような構成では、液体流動系統の部品をなすポンプ（１０）及び配管系部品（１８）が液体タンク（２）側に設けられ、電気系統の部品をなす切換スイッチ（２６）、バッテリ（２２）及び電気配線系部品（２８）がカバー（２０）側に設けられているので、液体流動系統の部品と電気系統の部品とを個別に組み立てることができ、組立作業性が極めて良好になり、噴霧機（１）のユニット化が容易に達成される。
【０００９】
また、バッテリ（２２）は、カバー（２０）の下部に取り付けられていると好適である。重量物であるバッテリ（２２）が噴霧機（１）の下部に配置されることで、使用中において、液体タンク（２）内の液体が少なくなったような場合でも噴霧機（１）を安定させることができる。特に、背負い式の噴霧機（１）の場合に効果的である。
【００１０】
また、配管収容凹部（８）内において、ポンプ（１０）を中央にして、配管系部品（１８）と電気配線系部品（２８）とが左右に振り分けられていると好適である。このような構成を採用すると、例え配管系部品（１８）から液漏れが発生したとしても、電気配線系部品（２８）に液体が付着し難く、電気的なショートが起こりにくくなる。従って、切換スイッチ（２６）やバッテリ（２２）などの電気部品の損傷が可能な限り低減する。
【００１１】
また、カバー（２０）には、配管系部品（１８）に対応する位置に視認窓（３３）が形成されていると好適である。視認窓（３３）の採用により、配管系部品（１８）の整備点検を可能にし、カバー（２０）を外す頻度が少なくなる。
【発明の効果】
【００１２】
本発明によれば、部品の組付け作業性やメンテナンス性に優れた噴霧機の提供が可能になる。
【発明を実施するための最良の形態】
【００１３】
以下、図面を参照しつつ本発明に係る噴霧機の好適な実施形態について詳細に説明する。
【００１４】
図１に示すように、噴霧機１は、背負い式の動力噴霧機であると共に、農薬などの薬液を貯留する薬液タンク（液体タンク）２を有する。この薬液タンク２は、軽量化のために樹脂のブロー成形によって作り出されている。また、薬液タンク２の上部には樹脂製のキャップ３が螺着され、キャップ３の着脱によって薬液タンク２内に農薬などの薬液の投入・排出が可能になる。さらに、背負バンド４のフック４ａ，４ｂを引っ掛けるための穴をもったフランジ６ａ，６ｂが液体タンク２の外面に一体的に形成されている。
【００１５】
図２〜図４に示すように、薬液タンク２の背面２ａには、略真ん中から下半分が切り取られたような形状の配管収容凹部８が設けられ、この配管収容凹部８は、薬液タンク２の背面２ａ側で開放されると共に、薬液タンク２の下端まで延長されて、薬液タンク２の全幅にわたって下側が開放されている。このような配管収容凹部８内には、電動モータ９の先端に固定された小型ポンプ１０が収容され、モータ９は止め金具１１によって薬液タンク２に固定されている。従って、配管収容凹部８は、薬液タンク２の下端まで延長されているので、薬液タンク２の下側から配管収容凹部８に工具を挿入することができ、電動モータ９やポンプ１０は言うに及ばず、後述する配管などの部品の組み付け作業が容易になる。しかも、この噴霧機１は、メンテナンス性も要求されているので、配管収容凹部８内の部品の交換などを容易に行うことができる。
【００１６】
さらに、ポンプ１０には、薬液タンク２内の液体をポンプ１０内に流入させるための吸水パイプ１２の一端が接続されると共に、吐水パイプ１３の一端が接続されている。この吐水パイプ１３の他端は、液体の流量を調節する調圧弁１４に接続され、調圧弁１４には、噴霧ノズルＮ（図３参照）に接続された導出パイプ１５の一端が接続されている。また、吐水パイプ１３から導出パイプ１５への流入量を調節する回動レバー式の調圧弁１４には、余水パイプ１６の一端が接続され、余水パイプ１６の他端は薬液タンク２に接続されている。従って、吸水パイプ１２と吐水パイプ１３と調圧弁１４と導出パイプ１５と余水パイプ１６とからなる配管系部品１８によって、所望量の薬液を薬液タンク２から噴霧ノズルＮ（図３参照）に供給し続けることができる。
【００１７】
このような配管系部品１８が取り付けられる薬液タンク２には、配管収容凹部８の開口部分を塞ぐための樹脂製のカバー２０が固定され、断面Ｌ字状をなすカバー２０は、ネジ１９によって着脱自在に構成される。さらに、カバー２０の内面側には、底壁２０ａに近づけられたボックス状のバッテリ収容部２１が形成され、モータ９に電力を供給するバッテリ２２は、バッテリ収容部２１の内部に設けられた複数本のフィン２３によってバッテリ収容部２１内でしっかりと保持される。また、薬液タンク２側にも、バッテリ押さえ込み用の突起部２４が形成され、薬液タンク２にカバー２０を組み付けた後、この突起部２４でバッテリ２２が軽く押さえ込まれ、バッテリ２２のガタ付きを防止している。
【００１８】
さらに、このようなバッテリ２２は、重量物であるがカバー２０の下部に取り付けられることになるので、バッテリ２２は噴霧機１の下部に配置され、噴霧機１の使用中において、液体タンク２内の薬液が少なくなったような場合でも噴霧機１を安定させておくことができる。特に、このような構成は、背負い式の噴霧機の場合に効果的である。なお、バッテリ２２は、カバー２０に取付けられた蓋２５（図１参照）によって外部に取り出すことができる。
【００１９】
さらに、カバー２０の側壁２０ｂには、レバーによる切換スイッチ２６が固定され、この切換スイッチ２６はバッテリ２２に電気的に接続されている。また、バッテリ収容部２１の上壁２１ａは、薬液タンク２にカバー２０を組み付けた後において、配管収容凹部８内で棚部として機能し、この棚部２１ａの上方には、バッテリ２２からモータ９に切換スイッチ２６を介して電力を供給するための電気配線系部品２８が配置される。そして、この電気配線系部品２８の端部にはコネクタ端子３０が設けられ、このコネクタ端子３０は、モータ９から延びるリード線３１に設けられたコネクタ端子３２に接続される。また、電気配線系部品２８の一部であるバッテリチェッカ３７及び充電用端子３８は、カバー２０の側壁２０ｂに取付けられると共に、バッテリ２２に結線されている（図１参照）。
【００２０】
このようなコネクタ端子３０，３１を採用することで、配管収容凹部８側の配管系部品１８とカバー２０側の電気配線系部品２８とをそれぞれ独立させることができ、配管収容凹部８内で各部品１８，２８が渾然となるような事態が防止される。そして、このような構成では、液体流動系統の部品をなすポンプ１０及び配管系部品１８が薬液タンク２側に設けられ、電気系統の部品をなす切換スイッチ２６、バッテリ２２及び電気配線系部品２８がカバー２０側に設けられているので、液体流動系統の部品と電気系統の部品とを薬液タンク２側とカバー２０側とで個別にそれぞれ組み立てることができ、作業性が極めて良好になり、噴霧機１のユニット化が容易に達成される。また、カバーの側壁２０ｃには、導出パイプ１５を外部に導き出すための通孔３９が設けられている。
【００２１】
さらに、配管収容凹部８内において、ポンプ１０を中央にして、配管系部品１８と電気配線系部品２８とが左右に振り分けられている。従って、例え配管系部品１８から液漏れが発生したとしても、電気配線系部品２８に薬液が付着し難く、電気的なショートが起こりにくくなり、切換スイッチ２６やバッテリ２２などの電気部品の損傷を可能な限り低減することができる。また、カバー２０には、配管系部品１８に対応する位置に矩形の視認窓３３が形成されている。従って、視認窓３３により、配管系部品１８の液漏れ等の整備点検を可能にし、ネジ止めされたカバー２０の外す回数を減らすことができるので、配管収容凹部８内へのゴミや埃の侵入を可能な限り押さえることができる。そして、この視認窓３３はクッション性の背当て３５によって蓋がなされ、この背当て３５はカバー２０の背面に着脱自在にピン止めされている。
【００２２】
さらに、図５に示すように、配管系部品１８の組み付け作業の効率化と薬液タンク２の形状の単純化を可能にするために、薬液タンク２には、配管収容凹部８に向けて突出する接続口部４０が設けられ、この接続口部４０には円筒状のキャップ部４１が被せられている。可撓性の樹脂からなるキャップ部４１は、接続口部４０の外表面に密着するように押し被せられ、ホースバンド４３によって抜け防止が図られている。そして、このキャップ部４１は二股になっており、一方は、余水パイプ１６として一体に形成され、他方は、吸水パイプ１２の挿入を可能にする挿入管４４としてキャップ部４１に一体的に形成されている。このようなキャップ部４１の採用により、配管の接続作業が容易になり、メンテナンス性に優れたユニット化が達成される。
【００２３】
本発明は、前述した実施形態に限定されるものではない。例えば、液体は薬液に限られない。配管収容凹部８は、液体タンク２の全幅に亘って開放されることに限定されず、液体タンク２の幅の１／２程度でも２／３程度でもよい。
【図面の簡単な説明】
【００２４】
【図１】本発明に係る噴霧機の一実施形態を示す側面図である。
【図２】図１に示した噴霧機の分解斜視図である。
【図３】配管収容凹部内の構造を示す断面図である。
【図４】図１に示した噴霧機の縦断面図である。
【図５】薬液タンクからキャップ部を外した状態を示す斜視図である。
【符号の説明】
【００２５】
１…噴霧機、２…薬液タンク（液体タンク）、２ａ…タンクの背面、８…配管収容凹部、９…モータ、１０…ポンプ、１８…配管系部品、２０…カバー、２２…バッテリ、２６…切換スイッチ、２８…電気配線系部品、３３…視認窓、４１…キャップ部。
【図１】
2005118674.tif 000003
【図２】
2005118674.tif 000004
【図３】
2005118674.tif 000005
【図４】
2005118674.tif 000006
【図５】
2005118674.tif 000007